(57)【要約】【課題】無線式送電装置をそれらのユーザ及びオペレータにとってより有効且つ便利にする当該装置のメカニズム及び機能を提供する。【解決手段】無線式送電装置１０２は、無線により電力を無線式受電装置１０１へ伝送する送電部と、無線式送電装置と無線式受電装置との間の第１の無線通信ネットワークの無線電力伝送制御チャネル１０３を介して無線式受電装置への無線による電力伝送を制御するよう構成される制御部と、無線電力伝送制御チャネルを介して第２の無線通信ネットワークのためのアクセス情報を伝えるよう構成される信号伝達回路とを有する。【選択図】図１
2015186442.tif 000002
【特許請求の範囲】
【請求項１】
無線式送電装置であって、
無線により電力を無線式受電装置へ伝送する送電部と、
当該無線式送電装置と前記無線式受電装置との間の第１の無線通信ネットワークの無線電力伝送制御チャネルを介して前記無線式受電装置への無線による電力伝送を制御するよう構成される制御部と、
前記無線電力伝送制御チャネルを介して第２の無線通信ネットワークのためのアクセス情報を伝えるよう構成される信号伝達回路と
を有する無線式送電装置。
【請求項２】
前記第１の無線通信ネットワークは、前記第２の無線通信ネットワークとは異なる、
請求項１に記載の無線式送電装置。
【請求項３】
前記第１の無線通信ネットワーク及び前記第２の無線通信ネットワークは、異なる無線アクセス技術を使用する、
請求項１に記載の無線式送電装置。
【請求項４】
当該無線式送電装置は、前記無線式受電装置を認証するよう構成される認証回路を有し、
前記信号伝達回路は、前記認証回路が前記無線式受電装置を認証したかどうかに基づき前記アクセス情報を伝えるよう構成される、
請求項１に記載の無線式送電装置。
【請求項５】
当該無線式送電装置は、前記無線式受電装置を認証するよう構成される認証回路を有し、
前記送電部は、前記認証回路が前記無線式受電装置を認証したかどうかに基づき無線により電力を前記無線式受電装置へ伝送するよう構成される、
請求項１に記載の無線式送電装置。
【請求項６】
前記認証回路は、前記送電部が電力を伝送する前記無線式受電装置が、前記無線電力伝送制御チャネルによって当該無線式送電装置へ接続されている無線式送電装置と同じであることを確かめることによって、前記無線式受電装置を認証するよう構成される、
請求項５に記載の無線式送電装置。
【請求項７】
前記送電部は、電力信号を用いて無線により電力を前記無線式受電装置へ伝送するよう構成され、
前記無線電力伝送制御チャネルは、前記電力信号の変調に基づくチャネルである、
請求項１に記載の無線式送電装置。
【請求項８】
前記無線電力伝送制御チャネルは、電力を伝送するために前記送電部によって使用される周波数バンドとは異なる無線周波数バンドにおいて動作する、
請求項１に記載の無線式送電装置。
【請求項９】
前記第１の無線通信ネットワークは、ブルートゥース通信ネットワークであり、
前記無線電力伝送制御チャネルは、ブルートゥースチャネルである、
請求項１に記載の無線式送電装置。
【請求項１０】
無線式送電装置であって、
無線により電力を無線式受電装置へ伝送するよう構成される送電部と、
当該無線式送電装置と前記無線式受電装置との間の通信チャネルを介して、前記無線式受電装置に、前記送電部からの受電のパラメータを適応させるように指示するよう構成される制御部と、
前記無線式受電装置が前記受電のパラメータを適応させるかどうかを検出するよう構成される検出部と、
前記無線式受電装置が前記受電のパラメータを適応させるかどうかに基づき、前記送電部が電力を伝送する前記無線式受電装置が、前記通信チャネルによって当該無線式送電装置へ接続されている無線式受電装置と同じであることを確かめるよう構成される認証回路と
を有する無線式送電装置。
【請求項１１】
前記制御部は、前記無線式受電装置に、前記送電部からの受電を中断するように指示するよう構成される、
請求項１０に記載の無線式送電装置。
【請求項１２】
前記制御部は、前記無線式受電装置に、所定の時間に前記受電のパラメータを適応させるように指示するよう構成され、
前記認証回路は、前記無線式受電装置が前記所定の時間に前記受電のパラメータを適応させるかどうかに基づき、前記送電部が電力を伝送する前記無線式受電装置が、前記通信チャネルによって当該無線式送電装置へ接続されている無線式送電装置と同じであることを確かめるよう構成される、
請求項１０に記載の無線式送電装置。
【請求項１３】
前記制御部は、前記所定の時間をランダムに決定するよう構成される、
請求項１２に記載の無線式送電装置。
【請求項１４】
前記送電部が電力を伝送する前記無線式受電装置が、前記通信チャネルによって当該無線式送電装置へ接続されている無線式送電装置と同じであるかどうかに基づき、無線通信ネットワークのためのアクセス情報を前記無線式受電装置へ伝えるよう構成される信号伝達回路を更に有する
請求項１０に記載の無線式送電装置。
【請求項１５】
前記無線通信ネットワークは、無線ローカルエリアネットワーク又はセルラー携帯電話通信ネットワークである、
請求項１４に記載の無線式送電装置。
【請求項１６】
前記アクセス情報は、前記無線通信ネットワークのクレデンシャルを含む、
請求項１４に記載の無線式送電装置。
【請求項１７】
前記通信チャネルは、前記無線通信ネットワークとは異なる更なる無線通信ネットワークのチャネルである、
請求項１４に記載の無線式送電装置。
【請求項１８】
無線式送電装置であって、
無線により電力を無線式受電装置へ伝送するよう構成される送電部と、
前記無線式受電装置が前記送電部から電力を受け取る権利を有することを示す電子トークンを提供するように前記無線式受電装置に要求し、
前記無線式受電装置からの有効なトークンの受信に基づき、前記無線式受電装置が前記送電部から電力を受け取る権利を有するかどうかを確かめ、
前記無線式受電装置が前記送電部から電力を受け取る権利を有するかどうかに基づき、電力を前記無線式受電装置へ伝送するように前記送電部を制御する制御部と
を有する無線式送電装置。
【請求項１９】
前記制御部は、前記無線式受電装置から受信されたトークンが有効であるかどうかを決定するよう構成される、
請求項１８に記載の無線式送電装置。
【請求項２０】
前記制御部は、前記電子トークンのシグニチャに基づき、前記無線式受電装置から受信されたトークンが有効であるかどうかを決定するよう構成される、
請求項１９に記載の無線式送電装置。
【請求項２１】
前記制御部は、
前記無線式受電装置が前記送電部によって完全に充電される権利を有することを示す電子トークンを提供するように前記無線式受電装置に要求し、
前記無線式受電装置からの有効なトークンの受信に基づき、前記無線式受電装置が前記送電部によって完全に充電される権利を有するかどうかを確かめ、
前記無線式受電装置が前記送電部によって完全に充電される権利を有するかどうかに基づき、前記無線式受電装置を完全に充電するように前記送電部を制御する
よう構成される、請求項１８に記載の無線式送電装置。
【請求項２２】
前記制御部は、前記無線式受電装置が前記電子トークンを提供すべきことを示す要求メッセージを前記無線式受電装置へ送信することによって、前記電子トークンを提供するように前記無線式受電装置に要求するよう構成される、
請求項１８に記載の無線式送電装置。
【請求項２３】
前記要求メッセージは、前記電子トークンを提供する通信装置のアドレス、当該無線式送電装置のシリアルナンバー、前記電子トークンを提供するウェブサービスのＵＲＩ、及びノンスのうちの少なくとも１つを含む、
請求項２２に記載の無線式送電装置。
【請求項２４】
前記通信装置は、インターネットサーバである、
請求項２３に記載の無線式送電装置。
【請求項２５】
前記通信装置は、ウェブサーバである、
請求項２４に記載の無線式送電装置。
【発明の詳細な説明】
【技術分野】
【０００１】
ここで記載される実施形態は、概して、無線送電装置、無線通信ネットワークのためのアクセス情報を伝える方法、及び無線受電装置を認証する方法に係る。
【背景技術】
【０００２】
電子モバイル装置の幅広い利用と、それらの装置を定期的に充電する必要性とにより、モバイル装置を充電するための都合のよい機会が調べられている。無線式充電は、ユーザがモバイル装置を、その充電器を持ってくる必要なしに充電することを可能にすることができる。無線電力伝送局は、将来的により幅広く配置されて、例えば、顧客に彼らのモバイル装置を充電及び／又は起動する機会を提供するために、レストランやホテル等で使用されてよいことが期待され得る。
【発明の概要】
【発明が解決しようとする課題】
【０００３】
然るに、無線式送電装置をそれらのユーザ及びオペレータにとってより有効且つ便利にする当該装置のメカニズム及び機能が望まれている。
【課題を解決するための手段】
【０００４】
本発明の実施形態は、無線式送電装置であって、
無線により電力を無線式受電装置へ伝送する送電部と、
当該無線式送電装置と前記無線式受電装置との間の第１の無線通信ネットワークの無線電力伝送制御チャネルを介して前記無線式受電装置への無線による電力伝送を制御するよう構成される制御部と、
前記無線電力伝送制御チャネルを介して第２の無線通信ネットワークのためのアクセス情報を伝えるよう構成される信号伝達回路と
を有する無線式送電装置を提供する。
【０００５】
本発明の他の実施形態は、無線式送電装置であって、
無線により電力を無線式受電装置へ伝送するよう構成される送電部と、
当該無線式送電装置と前記無線式受電装置との間の通信チャネルを介して、前記無線式受電装置に、前記送電部からの受電のパラメータを適応させるように指示するよう構成される制御部と、
前記無線式受電装置が前記受電のパラメータを適応させるかどうかを検出するよう構成される検出部と、
前記無線式受電装置が前記受電のパラメータを適応させるかどうかに基づき、前記送電部が電力を伝送する前記無線式受電装置が、前記通信チャネルによって当該無線式送電装置へ接続されている無線式受電装置と同じであることを確かめるよう構成される認証回路と
を有する無線式送電装置を提供する。
【０００６】
本発明の更なる他の実施形態は、無線式送電装置であって、
無線により電力を無線式受電装置へ伝送するよう構成される送電部と、
前記無線式受電装置が前記送電部から電力を受け取る権利を有することを示す電子トークンを提供するように前記無線式受電装置に要求し、
前記無線式受電装置からの有効なトークンの受信に基づき、前記無線式受電装置が前記送電部から電力を受け取る権利を有するかどうかを確かめ、
前記無線式受電装置が前記送電部から電力を受け取る権利を有するかどうかに基づき、電力を前記無線式受電装置へ伝送するように前記送電部を制御する制御部と
を有する無線式送電装置を提供する。
【発明の効果】
【０００７】
本発明の実施形態によれば、無線式送電装置をそれらのユーザ及びオペレータにとってより有効且つ便利にする当該装置のメカニズム及び機能を提供することが可能となる。
【図面の簡単な説明】
【０００８】
【図１】無線電力伝送配置を示す。
【図２】例えば、無線電力を受けている（例えば、充電されている）無線式受電装置へアクセス情報を提供することができる無線式送電装置を示す。
【図３】無線通信ネットワークのためのアクセス情報を伝える方法を説明するフロー図を示す。
【図４】無線電力を受け取り利用する無線式受電装置の認証のためのメカニズムを含む無線式送電装置を示す。
【図５】無線電力を受け取り利用する無線式受電装置を認証する方法を説明するフロー図を示す。
【図６】無線電力を受け取り利用する無線式受電装置の認証のための他のメカニズムを含む無線式送電装置を示す。
【図７】無線電力を受け取り利用する無線式受電装置を認証する方法を説明するフロー図を示す。
【図８】無線電力サービス及びＷＬＡＮネットワークを提供するホテルを示す。
【図９】無線電力伝送配置を示す。
【図１０】ＰＴＵへのＷＬＡＮクレデンシャルの提供のための通信配置を示す。
【図１１】一例に従って、無線電力伝送認証のための使用を説明する通信配置を示す。
【図１２】無線電力を受け取り利用する無線式受電装置を認証する方法の受電側での動作を説明するフロー図を示す。
【発明を実施するための形態】
【０００９】
図面において、同じ参照符号は、概して、異なる図にわたって同じ部分を参照する。図面は、必ずしも実寸通りではなく、代わりに一般的に、本発明の原理を説明するに際して強調が用いられている。以下の記載において、様々な態様は図面を参照して説明されている。
【００１０】
以下の詳細な説明は、実例として、発明が実施され得る本開示の具体的な詳細及び態様を示す添付の図面を参照する。他の態様が利用されてよく、構造的、論理的、及び電気的な変更が、本発明の適用範囲から逸脱することなしに為されてよい。本開示の様々な態様は、必ずしも相互排他的ではなく、本開示の幾つかの態様は、新しい態様を形成する本開示の１又はそれ以上の他の態様と組み合わされ得る。
【００１１】
コーヒーショップ、本屋、空港といった商業施設は、一般に、便利にＷｉＦｉスポットを提供する。ネットワーク費用を埋め合わせし、且つ、非顧客がＷｉＦｉネットワークをアクセス又は不正使用することを防ぐために、そのようなホットスポットは、通常、ユーザが共有クレデンシャルのような特定のアクセス情報を取得することを必要とするネットワークアクセス制御を利用する。アクセス情報（例えば、キー材料）は、通常、各々のネットワークオペレータによって毎日リフレッシュされ、よって、管理運営するネットワークオペレータとって負担である。従って、一部の施設は、それらの顧客と日替わりのクレデンシャル（例えば、ユーザ名及びパスワード）を共有することをあきらめている。しかしながら、多くのホテルは、日替わり／数日ごとのクレデンシャル・アクセス・スキーム、すなわち、毎日又は数日毎に一回オペレータによって変更されるネットワークアクセスのためのクレデンシャルをユーザが取得することを必要とするアクセス制御スキーム、を用い続けている。
【００１２】
加えて、無線電力伝送は、ますます至るところに存在するようになりつつある。ＰＣラップトップ、スマートフォン、バックパックでさえ、無線電力伝送設備とともに直ぐに出荷すると期待されているか、又は期待され得る。無線電力伝送システムによって伝送される電力は、電力コードの必要なしに装置をどうさせるために使用可能であり、あるいは、バッテリ駆動装置内のバッテリを充電するために使用可能である。送電部及び受電部並びに／又は制御メカニズムを備え、無線電力がバッテリを充電するために使用されるシステムは、無線式充電システムと呼ばれる。無線電力伝送の分野における標準化は、例えば、Ａｌｌｉａｎｃｅ  ｆｏｒ  Ｗｉｒｅｌｅｓｓ  Ｐｏｗｅｒ（Ａ４ＷＰ）、Ｐｏｗｅｒ  Ｍａｔｔｅｒｓ  Ａｌｌｉａｎｃｅ及びＷｉｒｅｌｅｓｓ  Ｐｏｗｅｒ  Ｃｏｎｓｏｒｔｉｕｍによって行われている。例えば、Ｗｉｒｅｌｅｓｓ  Ｐｏｗｅｒ  Ｃｏｎｓｏｒｔｉｕｍによる無線電力規格に適合する無線充電メカニズムを備えるスマートフォンが既に存在し、レストランチェーンは、Ｐｏｗｅｒ  Ｍａｔｔｅｒｓ  Ａｌｌｉａｎｃｅによる規格及びＷｉｒｅｌｅｓｓ  Ｐｏｗｅｒ  Ｃｏｎｓｏｒｔｉｕｍによる規格に夫々従って無線充電を提供し始めている。
【００１３】
上記の無線電力伝送規格に従って、電力を受け取るデジタル通信チャネルは、モバイル装置（通常、通信端末のようなモバイル通信装置）と、例えば、通信チャネルを介した無線電力伝送の前及びその最中にパラメータを特定及び制御する送電部（すなわち、例えば、充電テーブルと呼ばれ得るテーブル又はマットの形をした無線送電部）との間に、確立される。Ｗｉｒｅｌｅｓｓ  Ｐｏｗｅｒ  Ｃｏｎｓｏｒｔｉｕｍに従って、後方散乱変調スキームは、通信チャネルを提供するために、受信器（すなわち、充電されるモバイル装置）が送電部によって送信された電力信号を振幅変調するデジタル通信チャネルを介した通信のために使用される。Ａ４ＷＰに従って、Ｂｌｕｅｔｏｏｔｈ（登録商標）  Ｌｏｗ  Ｅｎｅｒｇｙ（ＢＬＥ）は、送電ユニット（power  transmitting  unit）（ＰＴＵ）とも呼ばれる送電部と、一般に受電ユニット（power  receiving  unit）（ＰＲＵ）と呼ばれるモバイル装置との間の通信チャネルのために使用される。Ａ４ＷＰに従うアーキテクチャは、無線電力伝送配置の一例として以下で記載される。
【００１４】
図１は、無電電力伝送配置１００を示す。
【００１５】
無線電力伝送配置１００は、受電ユニット（ＰＲＵ）１０１、例えば、ラップトップ又は携帯電話機のようなモバイル装置と、送電ユニット（ＰＴＵ）１０２、例えば、充電マット又は充電テーブルとを含む。
【００１６】
ＰＲＵ１０１は、電力を受け取る受信（Ｒｘ）共振器１０３を含み、受信共振器１０３は、電力をレギュレータ１０４及びＤＣ−ＤＣコンバータ１０５を介してクライアント装置負荷１０６、例えば、充電されるべきバッテリへ供給する。ＰＲＵマイクロプロセッサ１０７は、充電制御アルゴリズムに従ってレギュレータ１０４及びＤＣ−ＤＣコンバータ１０５を制御してよい。
【００１７】
ＰＴＵ１０２は、電力を送る送信（Ｔｘ）共振器１０８を含み、送信共振器１０８は、電力を電源１０９から電力増幅器１１０及び整合回路１１１を介して受け取る。ＰＴＵマイクロプロセッサ１１２は、充電制御アルゴリズムに従って電源１０９及び電力増幅器１１０を制御する。
【００１８】
ＰＲＵマイクロプロセッサ１０７及びＰＴＵマイクロプロセッサ１１２は、通信チャネル１１３を介して通信する。この例では、ＰＲＵ１０１及びＰＴＵ１０２は、２．４ＧＨｚでＢＬＥに従って通信チャネル１１３を動かす。送信共振器１０８から受信共振器１０３への電力伝送は、例えば、６．７８ＭＨｚで行われる。
【００１９】
以下の例で、図１に表されるアーキテクチャは、例となるアーキテクチャとして使用される。しかしながら、全ての例は、Ｐｏｗｅｒ  Ｍａｔｔｅｒｓ  Ｃｏｎｓｏｒｔｉｕｍ及びＷｉｒｅｌｅｓｓ  Ｐｏｗｅｒ  Ｃｏｎｓｏｒｔｉｕｍに従うアーキテクチャ並びに何らかの他の無線充電アーキテクチャを含む他のアーキテクチャとともに使用されてもよい。
【００２０】
以下で、与えられている例は、次のうちの少なくとも１つを提供することが分かる：
１．無線送電局又は無線充電端末（すなわち、送電部。例えば、ＰＴＵ）を介したアクセス・クレデンシャル（例えば、ユーザ名及びパスワードを含むＷＬＡＮクレデンシャル）の自動配布；及び
２．モバイル装置が信頼できるリソースからトークンを得ることを含むネットワークプロトコルの使用による無線送電局又は無線充電端末（又は設備。以下では、無線式送電装置とも呼ばれる。）による使用のための自動認証。例えば、モバイル装置は、無線充電端末、すなわち、送電部による完全な無線充電を可能にする前に、認証される必要がある。よって、無線電力を受け取ること及び／又は充電すること（すなわち、少なくともフル充電）は、認証されたユーザ（例えば、支払いのある顧客）に制限されてよい。使用ケースは、例えば、ホテル又は他の施設の所有者がユーザ毎に、又は従量制により無線充電設備に課金したいと望む場合である。
【００２１】
図２は、無線式送電装置２００を示す。無線式送電装置２００は、例えば、無線電力を受け取る無線式受電装置へアクセス情報（例えば、ＷＬＡＮアクセス・クレデンシャル）を提供してよい。
【００２２】
無線式送電装置２００は、無線により電力を（例えば、モバイル装置の充電又は軌道のために）無線式受電装置へ伝送する送電部２０１と、無線式送電装置と無線式受電装置との間の第１の無線通信ネットワークの無線電力伝送制御チャネル（制御チャネル又は無線電力制御チャネルと呼ばれることがある。）を介して無線式受電装置へ伝送される電力を制御するよう構成される制御部２０２とを有する。
【００２３】
無線式送電装置２００は、無線電力伝送制御チャネルを介して第２の無線通信ネットワークのためのアクセス情報を伝えるよう構成される信号伝達回路２０３を更に有する。
【００２４】
言い換えると、通信ネットワーク（無線電力又は制御情報を伝送するために使用される無線ネットワーク以外）のためのアクセス情報は、無線電力制御情報を伝送するために使用される通信チャネルを介して送信される。例えば、図１のアーキテクチャの例では、ＰＴＵは、例えば、ＷＬＡＮ（すなわち、ＷｉＦｉ）ネットワークであってよいが、ＵＭＴＳ，ＬＴＥ等に従うようなワイドエリアのセルラー通信ネットワークであってもよい無線通信ネットワークのためのアクセス情報の伝送のために、通信チャネル１１３を使用する。
【００２５】
無線式送電装置２００は、例えば、図３に表されている方法を実行する。
【００２６】
図３は、例えば、無線式送電装置によって実行される、無線通信ネットワークのためのアクセス情報を伝える方法を説明するフロー図３００を示す。
【００２７】
３０１で、無線式送電装置は、無線式送電装置と無線式受電装置との間の第１の無線通信ネットワークの無線電力伝送制御チャネルを介して、無線式送電装置から無線式受電装置への無線電力伝送を制御する。
【００２８】
３０２で、無線式送電装置は、無線電力伝送制御チャネルを介して、第２の無線通信ネットワークのためのアクセス情報を伝える。
【００２９】
図４は、モバイル装置の充電及び／又は起動のために使用され得る無線電力を受け取る認証のためのメカニズムを含む無線式送電装置４００を示す。
【００３０】
無線式送電装置４００は、無線により電力を（例えば、モバイル装置の充電及び／又は起動のために）無線式受電装置へ伝送する送電部４０１と、無線式送電装置と無線式受電装置との間の通信チャネルを介して、無線式受電装置に、送電部からの受電のパラメータを適応させるように指示するよう構成される制御部４０２とを有する。
【００３１】
無線式送電装置４００は、無線式受電装置が所定の時間に受電を中断するかどうかを検出するよう構成される検出部４０３と、無線式受電装置が受電のパラメータを適応させるかどうかに基づき、送電部が電力を伝送する無線式受電装置が、通信チャネルによって無線式送電装置へ接続されている無線式受電装置と同じであることを確かめるよう構成される認証回路４０４とを更に有する。
【００３２】
言い換えると、無線式送電装置は、無線式受電装置（例えば、充電マット又は充電テーブルに置かれている、充電すべきモバイル装置）が正当な装置（すなわち、無線電力を受け取り及び／又は充電するために認証された装置）、すなわち、無線式送電装置が、例えば、無線電力伝送（例えば、充電）を制御するために使用する通信チャネルによって無線式送電装置へ接続されている装置であるかどうかを、モバイル装置に受電を適応させるように、例えば、受電を一時停止するように通信チャネルを介して指示し、その指示に従って装置が受電を変更するかどうかを確認することによって、確かめる。
【００３３】
無線式送電装置４００は、例えば、図５に表されている方法を実行する。
【００３４】
図５は、例えば、無線式送電装置によって実行される、無線電力を受け取り及び／又は充電するモバイル装置を認証するための方法を説明するフロー図５００を示す。
【００３５】
５０１で、無線式送電装置は、無線により電力を無線式伝送装置から無線式受電装置へ伝送する。
【００３６】
５０２で、無線式送電装置は、無線式送電装置と無線式受電装置との間の通信チャネルを介して、無線式受電装置に、無線式送電装置からの受電のパラメータを適応させるよう指示する。
【００３７】
５０３で、無線式送電装置は、無線式受電装置が受電のパラメータを適応させるかどうかを検出する。
【００３８】
５０４で、無線式送電装置は、無線式受電装置が受電のパラメータを適応させるかどうかに基づき、送電部が電力を伝送する無線式受電装置が、通信チャネルによって無線式送電装置へ接続されている無線式受電装置と同じであることを確かめる。
【００３９】
図６は、無線電力を受け取るべき及び／又は充電されるべき無線式受電装置の認証のための他のメカニズム（図４を参照して上述された認証メカニズムに加えて、又はそれとは独立して使用されてよい。）を含む無線式送電装置６００を示す。
【００４０】
無線式送電装置６００は、無線により電力を（例えば、モバイル装置を充電するために）無線式受電装置へ伝送する送電部６０１を有する。
【００４１】
無線式送電装置６００は、無線式受電装置が送電部から電力を受け取る権利を有することを示す電子トークンを提供するように無線式受電装置に要求し、無線式受電装置からの有効なトークンの受信に基づき、無線式受電装置が送電部から電力を受け取る権利を有するかどうかを確認し、無線式受電装置が送電部から電力を受け取る権利を有するかどうかに基づき、電力を無線式受電装置へ伝送するように送電部を制御するよう構成される制御部６０２を更に有する。
【００４２】
言い換えると、無線式送電装置は、充電されるべき（あるいは、充電されたい又は無線電力を受け取りたいと望む又は要求する）（例えば、モバイル）装置に、その装置が無線式送電装置によって充電されるか又は無線電力を受け取る権利を有することを規定するトークンを提供するように要求する。装置は、例えば、信頼できるエンティティから、例えば、インターネットを介して、トークンを取得してよい。
【００４３】
無線式送電装置６００は、例えば、図７に表されている方法を実行する。
【００４４】
図７は、例えば、無線式送電装置によって実行される、例えば、無線電力を充電及び／又は受け取るモバイル装置を認証するための方法を説明するフロー図７００を示す。
【００４５】
７０１で、無線式送電装置は、無線式受電装置が送電部から電力を受け取る権利を有することを示す電子トークンを提供するように無線式受電装置に要求する。
【００４６】
７０２で、無線式送電装置は、無線式受電装置からの有効なトークンの受信に基づき、無線式受電装置が送電部から電力を受け取る権利を有するかどうかを確認する。
【００４７】
７０３で、無線式送電装置は、無線式受電装置が送電部から電力を受け取る権利を有するかどうかに基づき、無線により電力を無線式受電装置へ伝送するように送電部を制御する。
【００４８】
上記の無線式送電装置及び方法に従う更なる装置が提供され得る点が留意されるべきである。
【００４９】
例えば、無線式送電装置２００に従って、装置が提供され、当該装置は、当該装置を充電するために無線式送電装置から無線により電力を受け取るよう構成される受電部と、無線送電装置と当該装置との間の第１の無線通信ネットワークの制御チャネル（無線電力伝送制御チャネル又は受電制御チャネルとも呼ばれる。）を介して当該装置の充電のための制御情報を受信するよう構成される第１の受信部とを有する。
【００５０】
当該装置は、充電制御チャネルを介して、第２の無線通信ネットワークのためのアクセス情報を受信するよう構成される第２の受信部を更に有する。
【００５１】
更に、無線式送電装置４００に従って、装置が提供され、当該装置は、無線式送電装置から（例えば、モバイル装置の充電及び／又は起動のために）無線により電力を受け取るよう構成される受電部と、無線式送電装置と当該装置との間の通信チャネルを介して無線式送電装置からの受電のパラメータを適応させる命令を受信するよう構成される受信部と、命令に応答して受電のパラメータを適応させるよう構成される制御部とを有する。
【００５２】
更に、無線式送電装置６００に従って、装置が提供され、当該装置は、無線式送電装置から（例えば、当該装置を充電するために）無線により電力を受け取るよう構成される受電部と、当該装置が無線式送電装置から電力を受け取る権利を有することを示す電子トークンを提供する要求を受信するよう構成される受信部と、当該装置が無線式送電装置から電力を受け取る権利を有することを示す電子トークンを無線式送電装置へ提供するよう構成される送信部とを有する。
【００５３】
以下の例は、更なる実施形態に関連する。
【００５４】
例１は、図２を参照して記載される無線式送電装置である。
【００５５】
例２において、例１の対象は、任意に、第２の無線通信ネットワークとは異なる第１の無線通信ネットワークを有することができる。
【００５６】
例３において、例１乃至２のうちのいずれか１つの対象は、任意に、異なる無線アクセス技術を用いて第１の無線通信ネットワーク及び第２の無線通信ネットワークを有することができる。
【００５７】
例４において、例１乃至３のうちのいずれか１つの対象は、任意に、無線式受電装置を認証するよう構成される認証回路と、認証回路が無線式受電装置を認証したかどうかに基づきアクセス情報を伝えるよう構成される信号伝達回路とを有する無線式送電装置を有することができる。
【００５８】
例５において、例１乃至４のうちのいずれか１つの対象は、任意に、無線式受電装置を認証するよう構成される認証回路と、認証回路が無線式受電装置を認証したかどうかに基づき無線により電力を無線式受電装置へ伝送するよう構成される送電部とを有する無線式送電装置を有することができる。
【００５９】
例６において、例５の対象は、任意に、送電部が電力を伝送する無線式受電装置が、無線電力伝送制御チャネルによって無線式送電装置へ接続されている無線式受電装置と同じであることを確認することによって、無線式受電装置を認証するよう構成される認証回路を有することができる。
【００６０】
例７において、例１乃至６のうちのいずれか１つの対象は、任意に、電力信号を用いて無線により電力を無線式受電装置へ電送するよう構成される送電部と、電力信号の変調に基づくチャネルである無線電力伝送制御チャネルとを有することができる。
【００６１】
例８において、例１乃至７のうちのいずれか１つの対象は、任意に、電力を伝送するために送電部によって使用される周波数バンドとは異なる無線周波数バンドにおいて動作する無線電力伝送制御チャネルを有することができる。
【００６２】
例９において、例１乃至８のうちのいずれか１つの対象は、任意に、ブルートゥース通信ネットワークである第１の無線通信ネットワークと、ブルートゥースチャネルである無線電力伝送制御チャネルとを有することができる。
【００６３】
例１０において、例１乃至９のうちのいずれか１つの対象は、任意に、無線ローカルエリアネットワーク又はセルラー携帯電話通信ネットワークである第２の無線通信ネットワークを有することができる。
【００６４】
例１１において、例１乃至１０のうちいずれか１つの対象は、任意に、無線通信ネットワークのクレデンシャルを含むアクセス情報を有することができる。
【００６５】
例１２において、例１乃至１１のうちいずれか１つの対象は、任意に、更なる通信装置からアクセス情報を受信するよう構成される受信器を有する無線式送電装置を有することができる。
【００６６】
例１３において、例１乃至１２のうちいずれか１つの対象は、任意に、インターネットサーバである更なる通信装置を有することができる。
【００６７】
例１４は、図３を参照して記載される、アクセス情報を伝える方法である。
【００６８】
例１５において、例１４の対象は、任意に、第２の無線通信ネットワークとは異なる第１の無線通信ネットワークを有することができる。
【００６９】
例１６において、例１４乃至１５のうちのいずれか１つの対象は、任意に、異なる無線アクセス技術を用いて第１の無線通信ネットワーク及び第２の無線通信ネットワークを有することができる。
【００７０】
例１７において、例１４乃至１６のうちのいずれか１つの対象は、任意に、無線式受電装置を認証し、無線式受電装置の認証成功に基づきアクセス情報を伝えることを有することができる。
【００７１】
例１８において、例１４乃至１７のうちのいずれか１つの対象は、任意に、無線式受電装置を認証し、無線式受電装置の認証成功に基づき無線により電力を無線式受電装置へ伝送することを有することができる。
【００７２】
例１９において、例１８の対象は、任意に、送電部が電力を伝送する無線式受電装置が、無線電力伝送制御チャネルによって無線式送電装置へ接続されている無線式受電装置と同じであることを確認することによって、無線式受電装置を認証することを有することができる。
【００７３】
例２０において、例１４乃至１９のうちのいずれか１つの対象は、任意に、電力信号を用いて無線により電力を無線式受電装置へ伝送することを有することができ、無線電力伝送制御チャネルは、電力信号の変調に基づくチャネルである。
【００７４】
例２１において、例１４乃至２０のうちのいずれか１つの対象は、任意に、電力を伝送するために送電部によって使用される周波数バンドとは異なる無線周波数バンドにおいて動作する無線電力伝送制御チャネルを有することができる。
【００７５】
例２２において、例１４乃至２１のうちのいずれか１つの対象は、任意に、ブルートゥース通信ネットワークである第１の無線通信ネットワークと、ブルートゥースチャネルである無線電力伝送制御チャネルとを有することができる。
【００７６】
例２３において、例１４乃至２２のうちのいずれか１つの対象は、任意に、無線ローカルエリアネットワーク又はセルラー携帯電話通信ネットワークである第２の無線通信ネットワークを有することができる。
【００７７】
例２４において、例１４乃至２３のうちのいずれか１つの対象は、任意に、無線通信ネットワークのクレデンシャルを含むアクセス情報を有することができる。
【００７８】
例２５において、例１４乃至２４のうちのいずれか１つの対象は、任意に、更なる通信装置からアクセス情報を受信することを有することができる。
【００７９】
例２６において、例１４乃至２５のうちのいずれか１つの対象は、任意に、インターネットサーバである更なる通信装置を有することができる。
【００８０】
例２７は、プロセッサによって実行される場合に、プロセッサに、例１４乃至２６のうちのいずれか１つに従って無線通信を実行する方法を実行させる命令を記録したコンピュータ可読媒体である。
【００８１】
例２８は、無線式送電装置であって、無線により電力を無線式受電装置へ伝送する送電手段と、当該無線式送電装置と前記無線式受電装置との間の第１の無線通信ネットワークの無線電力伝送制御チャネルを介して前記無線式受電装置への無線による電力伝送を制御する制御手段と、前記無線電力伝送制御チャネルを介して第２の無線通信ネットワークのためのアクセス情報を伝える信号伝達手段とを有する無線式送電装置である。
【００８２】
例２９において、例２８の対象は、任意に、第２の無線通信ネットワークとは異なる第１の無線通信ネットワークを有することができる。
【００８３】
例３０において、例２８乃至２９のうちのいずれか１つの対象は、任意に、異なる無線アクセス技術を用いて第１の無線通信ネットワーク及び第２の無線通信ネットワークを有することができる。
【００８４】
例３１において、例２８乃至３０のうちのいずれか１つの対象は、任意に、無線式受電装置を認証する認証手段と、認証手段が無線式受電装置を認証したかどうかに基づきアクセス情報を伝える信号伝達手段とを有する無線式送電装置を有することができる。
【００８５】
例３２において、例２８乃至３１のうちのいずれか１つの対象は、任意に、無線式受電装置を認証する認証手段と、認証手段が無線式受電装置を認証したかどうかに基づき無線により電力を無線式受電装置へ伝送する送電手段とを有する無線式送電装置を有することができる。
【００８６】
例３３において、例３２の対象は、任意に、送電手段が電力を伝送する無線式受電装置が、無線電力伝送制御チャネルによって無線式送電装置へ接続されている無線式受電装置と同じであることを確認することによって、無線式受電装置を認証する認証手段を有することができる。
【００８７】
例３４において、例２８乃至３３のうちのいずれか１つの対象は、任意に、電力信号を用いて無線により電力を無線式受電装置へ伝送する送電手段と、電力信号の変調に基づくチャネルである無線電力伝送制御チャネルとを有することができる。
【００８８】
例３５において、例２８乃至３４のうちのいずれか１つの対象は、任意に、電力を伝送するために送電手段によって使用される周波数バンドとは異なる無線周波数バンドにおいて動作する無線電力伝送制御チャネルを有することができる。
【００８９】
例３６において、例２８乃至３５のうちのいずれか１つの対象は、任意に、ブルートゥース通信ネットワークである第１の無線通信ネットワークと、ブルートゥースチャネルである無線電力伝送制御チャネルとを有することができる。
【００９０】
例３７において、例２８乃至３６のうちのいずれか１つの対象は、任意に、無線ローカルエリアネットワーク又はセルラー携帯電話通信ネットワークである第２の無線通信ネットワークを有することができる。
【００９１】
例３８において、例２８乃至３７のうちのいずれか１つの対象は、任意に、無線通信ネットワークのクレデンシャルを含むアクセス情報を有することができる。
【００９２】
例３９において、例２８乃至３８のうちのいずれか１つの対象は、任意に、更なる通信装置からアクセス情報を受信する受信手段を有する無線式送電装置を有することができる。
【００９３】
例４０において、例２８乃至３９のうちのいずれか１つの対象は、任意に、インターネットサーバである更なる通信装置を有することができる。
【００９４】
例４１は、図４を参照して記載される無線式送電装置である。
【００９５】
例４２において、例４１の対象は、任意に、無線式受電装置に送電部からの受電を中断するように指示するよう構成される制御部を有することができる。
【００９６】
例４３において、例４１乃至４２のうちのいずれか１つの対象は、任意に、所定時間に受電のパラメータを適応させるように無線式受電装置に指示するよう構成される制御部と、無線式受電装置が所定の時間に受電のパラメータを適応させるかどうかに基づき、送電部が電力を伝送する無線式受電装置が、通信チャネルによって無線式送電装置へ接続されている無線式受電装置と同じであることを確認するよう構成される認証回路とを有することができる。
【００９７】
例４４において、例４３の対象は、任意に、所定の時間をランダムに決定するよう構成される制御部を有することができる。
【００９８】
例４５において、例４１乃至４４のうちのいずれか１つの対象は、任意に、送電部が電力を伝送する無線式受電装置が、通信チャネルによって無線式送電装置へ接続されている無線式受電装置と同じであるかどうかに基づき、無線通信ネットワークのためのアクセス情報を無線式受電装置へ伝えるよう構成される信号伝達回路更に有することができる。
【００９９】
例４６において、例４５の対象は、任意に、無線ローカルエリアネットワーク又はセルラー携帯電話ネットワークである無線通信ネットワークを有することができる。
【０１００】
例４７において、例４５乃至４６のうちのいずれか１つの対象は、任意に、無線通信ネットワークのクレデンシャルを含むアクセス情報を有することができる。
【０１０１】
例４８において、例４５乃至４７のうちのいずれか１つの対象は、任意に、無線通信ネットワークとは異なる更なる無線通信ネットワークのチャネルである無線電力伝送制御チャネルを有することができる。
【０１０２】
例４９は、図５を参照して記載される、アクセス情報を伝える方法である。
【０１０３】
例５０において、例４９の対象は、任意に、送電部からの受電を中断するように無線式受電装置に指示することを有することができる。
【０１０４】
例５１において、例４９乃至５０のうちのいずれか１つの対象は、任意に、所定の時間に受電のパラメータを適応させるように無線式受電装置に指示し、無線式受電装置が所定の時間に受電のパラメータを適応させるかどうかに基づき、送電部が電力を伝送する無線式受電装置が、通信チャネルによって無線式送電装置へ接続されている無線式受電装置と同じであることを確認することを有することができる。
【０１０５】
例５２において、例５１の対象は、任意に、所定の時間をランダムに決定することを有することができる。
【０１０６】
例５３において、例４９乃至５２のうちのいずれか１つの対象は、任意に、送電部が電力を伝送する無線式受電装置が、通信チャネルによって無線式送電装置へ接続されている無線式受電装置と同じであるかどうかに基づき、無線通信ネットワークのためのアクセス情報を無線式受電装置へ伝えることを有することができる。
【０１０７】
例５４において、例５３の対象は、任意に、無線ローカルエリアネットワーク又はセルラー携帯電話ネットワークである無線通信ネットワークを有することができる。
【０１０８】
例５５において、例５３乃至５４のうちのいずれか１つの対象は、任意に、無線通信ネットワークのクレデンシャルを含むアクセス情報を有することができる。
【０１０９】
例５６において、例５３乃至５５のうちのいずれか１つの対象は、任意に、無線通信ネットワークとは異なる更なる無線通信ネットワークのチャネルである無線電力伝送制御チャネルを有することができる。
【０１１０】
例５７は、プロセッサによって実行される場合に、プロセッサに、例４９乃至５５のうちのいずれか１つに従って無線通信を実行する方法を実行させる命令を記録したコンピュータ可読媒体である。
【０１１１】
例５８は、無線式送電装置であって、無線により電力を無線式受電装置へ伝送する送電手段と、当該無線式送電装置と前記無線式受電装置との間の通信チャネルを介して、前記送電手段からの受電のパラメータを適応させるように前記無線式受電装置に指示する制御手段と、前記無線式受電装置が前記受電のパラメータを適応させるかどうかを検出する検出手段と、前記無線式受電装置が前記受電のパラメータを適応させるかどうかに基づき、前記送電手段が電力を伝送する前記無線式受電装置が、前記通信チャネルによって当該無線式送電装置へ接続されている無線式受電装置と同じであることを確認する認証手段とを有する無線式送電装置である。
【０１１２】
例５９において、例５８の対象は、任意に、送電部からの受電を中断するように無線式受電装置に指示する制御手段を有することができる。
【０１１３】
例６０において、例５８乃至５９のうちのいずれか１つの対象は、任意に、所定の時間に受電のパラメータを適応させるように無線式受電装置に指示する制御手段と、無線式受電装置が所定の時間に受電のパラメータを適応させるかどうかに基づき、送電部が電力を伝送する無線式受電装置が、通信チャネルによって無線式送電装置へ接続される無線式受電装置と同じであることを確認する認証手段とを有することができる。
【０１１４】
例６１において、例６０の対象は、任意に、所定の時間をランダムに決定する制御手段を有することができる。
【０１１５】
例６２において、例６１の対象は、任意に、送電部が電力を伝送する無線式受電装置が、通信チャネルによって無線式送電装置へ接続されている無線式受電装置と同じであるかどうかに基づき、無線通信ネットワークのためのアクセス情報を無線式受電装置へ伝える信号伝達手段を更に有することができる。
【０１１６】
例６３において、例６２の対象は、任意に、無線ローカルエリアネットワーク又はセルラー携帯電話通信ネットワークである無線通信ネットワークを有することができる。
【０１１７】
例６４において、例６２乃至６３のうちのいずれか１つの対象は、任意に、無線通信ネットワークのクレデンシャルを含むアクセス情報を有することができる。
【０１１８】
例６５において、例６２乃至６４のうちのいずれか１つの対象は、任意に、無線通信ネットワークとは異なる更なる無線通信ネットワークのチャネルである無線電力伝送制御チャネルを有することができる。
【０１１９】
例６６は、図６を参照して記載される無線式送電装置である。
【０１２０】
例６７において、例６６の対象は、任意に、無線式受電装置から受信されたトークンが有効であるかどうかを決定するよう構成される制御部を有することができる。
【０１２１】
例６８において、例６７の対象は、任意に、電子トークンのシグニチャに基づき、無線式受電装置から受信されたトークンが有効であるかどうかを決定するよう構成される制御部を有することができる。
【０１２２】
例６９において、例６６乃至６８のうちのいずれか１つの対象は、任意に、無線式受電装置が送電部によって完全に充電される権利を有することを示す電子トークンを提供するように無線式受電装置に要求し、無線式受電装置からの有効なトークンの受信に基づき、無線式受電装置が送電部によって完全に充電される権利を有するかどうかを確認し、無線式受電装置が送電部によって完全に充電される権利を有するかどうかに基づき、無線式受電装置を完全に充電するように送電部を制御するよう構成される制御部を有することができる。
【０１２３】
例７０において、例６６乃至６９のうちのいずれか１つの対象は、任意に、無線式受電装置が電子トークンを提供すべきことを示す要求メッセージを無線式受電装置へ送信することによって、電子トークンを提供するように無線式受電装置に要求するよう構成される制御部を有することができる。
【０１２４】
例７１において、例７０の対象は、任意に、電子トークンを提供する通信装置のアドレス、無線式送電装置のシリアルナンバー、電子トークンを提供するウェブサービスのＵＲＩ、及びノンスのうちの少なくとも１つを含む要求メッセージを有することができる。
【０１２５】
例７２において、例７１の対象は、任意に、インターネットサーバである通信装置を有することができる。
【０１２６】
例７３において、例７２の対象は、任意に、ウェブサーバである通信装置を有することができる。
【０１２７】
例７４において、例６３乃至７３のうちのいずれか１つの対象は、任意に、無線式受電装置が受け取る権利を有する充電の量を電子トークンから決定し、該充電の量を無線式受電装置へ伝送するように送電部を制御するよう構成される制御部を有することができる。
【０１２８】
例７５は、図７を参照して記載される、無線式受電装置を認証する方法である。
【０１２９】
例７６において、例７５の対象は、任意に、無線式受電装置から受信されたトークンが有効であるかどうかを決定することを有することができる。
【０１３０】
例７７において、例７６の対象は、任意に、電子トークンのシグニチャに基づき、無線式受電装置から受信されたトークンが有効であるかどうかを決定することを有することができる。
【０１３１】
例７８において、例７５乃至７７のうちのいずれか１つの対象は、任意に、無線式受電装置が送電部によって完全に充電される権利を有することを示す電子トークンを提供するように無線式受電装置に要求し、無線式受電装置からの有効なトークンの受信に基づき、無線式受電装置が送電部によって完全に充電される権利を有するかどうかを確認し、無線式受電装置が送電部によって完全に充電される権利を有するかどうかに基づき、無線式受電装置を完全に充電するように送電部を制御することを有することができる。
【０１３２】
例７９において、例７５乃至７８のうちのいずれか１つの対象は、任意に、無線式受電装置が電子トークンを提供すべきことを示す要求メッセージを無線式受電装置へ送信することによって、電子トークンを提供するように無線式受電装置に要求することを有することができる。
【０１３３】
例８０において、例７９の対象は、任意に、電子トークンを提供する通信装置のアドレス、無線式送電装置のシリアルナンバー、電子トークンを提供するウェブサービスのＵＲＩ、及びノンスのうちの少なくとも１つを含む要求メッセージを有することができる。
【０１３４】
例８１において、例８０の対象は、任意に、インターネットサーバである通信装置を有することができる。
【０１３５】
例８２において、例８１の対象は、任意に、ウェブサーバである通信装置を有することができる。
【０１３６】
例８３において、例７５乃至８２のうちのいずれか１つの対象は、任意に、無線式受電装置が受け取る権利を有する充電の量を電子トークンから決定し、該充電の量を無線式受電装置へ伝送するように送電部を制御することを有することができる。
【０１３７】
例８４は、プロセッサによって実行される場合に、プロセッサに、例７５乃至８３のうちのいずれか１つに従って無線通信を実行する方法を実行させる命令を記録したコンピュータ可読媒体である。
【０１３８】
例８５は、無線により電力を無線式受電装置へ伝送する送電手段と、無線式受電装置が送電手段から電力を受け取る権利を有することを示す電子トークンを提供するように無線式受電装置に要求し、無線式受電装置からの有効なトークンの受信に基づき、無線式受電装置が送電手段から電力を受け取る権利を有するかどうかを確認し、無線式受電装置が送電手段から電力を受け取る権利を有するかどうかに基づき、電力を無線式受電装置へ伝送するように送電手段を制御する制御手段とを有する無線式送電装置である。
【０１３９】
例８６において、例８５の対象は、任意に、無線式受電装置から受信されたトークンが有効であるかどうかを決定する制御手段を有することができる。
【０１４０】
例８７において、例８６の対象は、任意に、電子トークンのシグニチャに基づき、無線式受電装置から受信されたトークンが有効であるかどうかを決定する制御手段を有することができる。
【０１４１】
例８８において、例８５乃至８７のうちのいずれか１つの対象は、任意に、無線式受電装置が送電手段によって完全に充電される権利を有することを示す電子トークンを提供するように無線式受電装置に要求し、無線式受電装置からの有効なトークンの受信に基づき、無線式受電装置が送電手段によって完全に充電される権利を有するかどうかを確認し、無線式受電装置が送電手段によって完全に充電される権利を有するかどうかに基づき、無線式受電装置を完全に充電するように送電手段を制御する制御手段を有することができる。
【０１４２】
例８９において、例８５乃至８８のうちのいずれか１つの対象は、任意に、無線式受電装置が電子トークンを提供すべきことを示す要求メッセージを無線式受電装置へ送信することによって、電子トークンを提供するように無線式受電装置に要求する制御手段を有することができる。
【０１４３】
例９０において、例８９の対象は、任意に、電子トークンを提供する通信装置のアドレス、無線式送電装置のシリアルナンバー、電子トークンを提供するウェブサービスのＵＲＩ、及びノンスのうちの少なくとも１つを含む要求メッセージを有することができる。
【０１４４】
例９１において、例９０の対象は、任意に、インターネットサーバである通信装置を有することができる。
【０１４５】
例９２において、例９１の対象は、任意に、ウェブサーバである通信装置を有することができる。
【０１４６】
例９３において、例８５乃至９２のうちのいずれか１つの対象は、任意に、無線式受電装置が受け取る権利を有する充電の量を電子トークンから決定し、該充電の量を無線式受電装置へ伝送するように送電手段を制御する制御手段を有することができる。
【０１４７】
上記の例のいずれかの特徴のうちの１又はそれ以上は、他の例のいずれか１つと組み合わされてよい点が留意されるべきである。
【０１４８】
以下で、例は、より詳細に記載される。上述されたように、以下の例では、図１に示されたアーキテクチャが基礎として使用されるが、あらゆる他の無線充電アーキテクチャが代替的に使用されてよい。
【０１４９】
以下の例では、無線式送電装置は、ＷｉＦｉアクセスのためのモバイル（受信器）装置へのクレデンシャルの提供のために、無線送電部（すなわち、無線式送電装置）と無線受電部（例えば、充電されるべきモバイル装置）との間の通信を使用する。
【０１５０】
例えば、無線式送電装置（すなわち、ＰＴＵ１０２）は、電力が、ＰＲＵ１０１のバッテリのフル充電を完了するために伝送される前に、最初に少量の電力（すなわち、電力ビーコン）をＰＲＵ１１０へ伝送して、ＰＲＵ１１０を起動し、通信チャネル１１３をセットアップし、動作パラメータを特定及び確立する。このプロセスの間、ＰＴＵ１１０は、ＷｉＦｉクレデンシャルを安全に送るために通信チャネル１１３を使用してよい。これは、例えば、ＷＬＡＮクレデンシャルを正規の顧客へ手動により配る必要性を除くことができる。すなわち、代わりに、充電端末が、クレデンシャルをプッシュする（例えば、顧客のモバイル装置に対する充電テーブル及び充電マット）。物理的にある場所、例えば、店やレストランに存在することが知られているモバイル装置は、それらがその場所で充電され又は無線電力を受け取っているので、これより（例えば、自動的に）、その場所に設けられているＷｉＦｉネットワークへ接続することができる。無線式送電装置は、ローカルＷＬＡＮネットワークへ直接に接続されてもされなくてもよい。しかしながら、それらは、あらゆる場合において、ＷＬＡＮクレデンシャルを記憶及び更新するメカニズムを設けられている。
【０１５１】
更に、以下の例では、無線式送電装置（例えば、無線式充電伝送部）は、フルレート電力伝送を可能にする前に又は受信器、例えば、受信器のバッテリのフル若しくは部分充電を完了する前に、無線受電装置を認証するネットワークプロトコルを使用する。
【０１５２】
例えば、商業施設（例えば、レストラン、空港又はホテル）の所有者が、無線送電局の使用（及び消費電力）を有料にしたいと望むか、あるいは、単純にアクセスを有料顧客に制限したいと望む場合に、その所有者は、モバイル装置を充電するか又は無線電力をモバイル装置へ伝送する前に、それらのモバイル装置を認証するように無線式送電装置（例えば、充電マット）に要求することがある。例えば、無線式送電装置は、後述されるように、クラウドに基づくプロトコル及びクラウドサービスを介して装置を認証し権限を与えるメカニズムを使用する。ＷＬＡＮクレデンシャルを無線式送電装置へ安全に供給する必要性は、充電セッションの支払いのための認証／権限付与のためにクラウドサービスにアクセスする前提条件であってよい。
【０１５３】
使用ケースの例は、ホテルのＷＬＡＮへのアクセス及びホテルに設けられている無線送電サービスのための支払いである。これは図８に示されている。
【０１５４】
図８は、無線送電サービス及びＷＬＡＮネットワークを提供するホテル８００を示す。
【０１５５】
例えば、ホテルの客８０１は、無線電力伝送に対するモバイル装置８０２を持って到着し、チェックインし、その客の部屋番号又はキー・フォブを手に入れる。客８０１は、自身の部屋８０４に入り、自身のモバイル装置（例えば、ＰＲＵ１０１に対応する、無線受電機能を備えたラップトップ又は携帯電話機）８０２を充電デスク８０５（例えば、ＰＴＵ１０２に対応）に置く。デスク８０５及びモバイル装置８０２は、通信チャネル（例えば、通信チャネル１１３に対応）を介して、電力伝送情報を交換し且つＷｉＦｉクレデンシャルを交換する。モバイル装置８０２は、これより、客８０１が手動によりクレデンシャルを入力する必要なしに、アクセスポイント８０６によって提供されるホテルのＷｉＦｉネットワークにアクセスすることができる。
【０１５６】
このような使用ケースにおいて、クレデンシャルは、ホテルのＷｉＦｉネットワークから無線送電局８０５を通じてモバイル装置８０２へと無線電力伝送通信チャネルを横断する。次いで、モバイル装置８０２は、それを使用して、無線（ＷｉＦｉ）ネットワークへのアクセスを得る。
【０１５７】
商業施設の所有者は、無線送電設備を使用することが経済的に補償されること（すなわち、顧客に費用請求すること）を好むことがある。図８の例では、これを達成するよう、ホテルの無線送電局８０５は、信頼できるネットワークサービスからの認証を、それが充電及び／又は無線電力の受け取りを開始する前に、確認してよい。顧客（ユーザ）８０１は、特定の量（その量は、エネルギの量、電力の量、又は無線電力を受ける存続期間によって測定され得る。）の充電及び／又は無線電力と引き換えに、例えば、第三者のウェブサイトへ行き、クレジットカート番号又は購入証明を入力するよう要求されてよい。
【０１５８】
代替的に、顧客８０１は、ホテルのウェブサイトを閲覧し、無線電力伝送料金が自身のルームチャージに加算されることに同意するよう要求されてよい。ユーザが同意を受け入れると、無線式送電装置８０５は、モバイル装置８０２の無線電力伝送を開始する（又は、フル充電及び／又はフルレートの電力伝送を続ける）。
【０１５９】
図１を参照して先に説明されたように、Ａ４ＷＰに従って、Ｂｌｕｅｔｏｏｔｈ（登録商標）  Ｌｏｗ  Ｅｎｅｒｇｙ（ＢＬＥ）に基づく通信チャネルは、受電ユニット１０１と送電ユニット１０２との間の通信チャネル１１３として使用される。ＢＬＥアーキテクチャは、装置をクライアントとサーバとに分類する。サーバはサービス及び属性を公表し、クラインとはそれらの属性を使用する。属性は、単に、クラインに読み出され及び／又は潜在的に書き込まれ得る許諾及びセキュリティ要件に関するサーバ上の論理状態変数である。サーバは、論理値が変化する場合にクライアントに通知することができる。属性は、ブルートゥースＳＩＧ（special  interest  group）によって標準化されるか、又は機能性をカスタマイズ及び拡張するために装置製造者によって作成されるＵＵＩＤ（universally  unique  identifier）を有する。Ａ４ＷＰに従って、ＰＴＵ１０２はクライアントであり、ＰＲＵ１０１はサーバである。
【０１６０】
ＰＲＵ１０１とＰＴＵ１０２との間の通信の例は、図９に表されている。
【０１６１】
図９は、無線充電配置９００を示す。
【０１６２】
無線電力伝送配置９００は、ＰＲＵ１０１に対応する受電ユニット９０１と、ＰＴＵ１０２に対応する送電ユニット９０２とを有する。
【０１６３】
９０３で、ＰＴＵ９０２は電力パルスを送信する。
【０１６４】
ＰＲＵ９０１は、９０４で、ＰＴＵ９０２からの電力パルスを自身のＲｘ共振器１０３上で検出した後にのみ、ＢＬＥにわたって（すなわち、通信チャネル１１３を介して）自己を公示する。
【０１６５】
９０５で、ＰＲＵの公示を受け取った後、ＰＴＵ９０２はＰＲＵ９０１へ接続し、９０６で、ＰＴＵ９０２は、ＰＲＵの静的及び動的な属性を読み出すよう要求する。９０７で、ＰＲＵ９０１は、例えば、過電流、過電圧又は温度過昇に関して、ＰＴＵ９０２へ通知を発行する。
【０１６６】
ＰＲＵ９０１は、例えば、ＧＡＰ（Generic  Access  Profile）サービス９０８、ＧＡＴＴ（Generic  Attribute  Profile）サービス９０９及びＡ４ＷＰ充電サービス９１０のような全ての一次サービスのリストを提供する能力を備える。
【０１６７】
この例では、ＰＲＵ９０１及びＰＴＵ９０２は更に、ＰＴＵ９０２からＰＲＵ９０１へＷｉＦｉクレデンシャルをプッシュする能力をサポートする。このために、この例では、２つの付加的なＢＬＥ装置サービス、ＷＬＡＮパスフレーズ（つまり、ＷｉＦｉクレデンシャル）を管理及び記憶するＰＴＵ９０２における記憶サービス９１１、及びＰＴＵ９０２が電力充電セッションの間に接続した後にＰＴＵ９０２のＷＬＡＮパスフレーズ・プッシュ・クライアント９１３からＷＬＡＮパスフレーズを受け取るＰＲＵ９０１におけるＷＬＡパスフレーズサービス９１２がある。
【０１６８】
ＰＴＵ９０２は、それがＷＬＡＮパスフレーズサービス９１２をＰＲＵ９０１において発見する場合に、９１４において現在のＷＬＡＮクレデンシャルを適切な属性に書き込んで、ＷＬＡＮクレデンシャルをＰＲＵ９０１へプッシュする点で、ＢＬＥクライアント（クレデンシャルプッシュ）として動作する。
【０１６９】
ＰＲＵ９０１は、次いで、ＷＬＡＮクレデンシャルをその装置の、すなわち、そのオペレーティングシステムのネイティブなＷｉＦｉソフトウェアによって提供されるＷＬＡＮスタックへプッシュし、例えば、ＩＥＥＥ８０２．１１に従って、ホテルのＷＬＡＮへ接続することができる。
【０１７０】
これはＡ４ＷＰに関連して記載されているが、同様のアプローチは、他の無線電力標準に関連して使用されてよい。
【０１７１】
メカニズムは、ＷＬＡＮクレデンシャルを交換する場合にＰＴＵ９０２とＰＲＵ９０１との間の中間者攻撃を回避するために適用されてよい。例えば、無線電力伝送は、電力伝送を制御するための通信チャネル、例えば、通信チャネル１１３の認証及び／又は暗号化をサポートしてよい。
【０１７２】
Ａ４ＷＰに従って、ＰＴＵ９０２は、認証なしで且つ暗号化なしでＰＲＵとのＢＬＥ接続を受け入れる。なお、結合（認証及び暗号化）が過去に起こっていた場合には、ＰＴＵ９０２及びＰＲＵ９０１は安全に再接続する。安全でない接続の場合において、ＷＬＡＮクレデンシャルは、通信チャネル１１３にわたって公で伝送される。これが安全上の問題を引き起こす場合は、ＰＴＵ９０２は、ユーザ（例えば、顧客８０１）がＰＩＮ又はパスワードを介してＰＲＵ９０１とＰＴＵ９０２とを対にするまでＷＬＡＮクレデンシャルを送信しないよう構成されてよい。しかしながら、認証及び／又は暗号化されたリンク上でさえ、ＰＴＵ９０２は、充電されようとしている、例えば、充電のために無線式送電装置（例えば、充電マット）に置かされているモバイル装置が、欠陥のある装置ではなく、通信チャネル１１３を介してＰＴＵ９０２へ接続されているモバイル装置と同じであることを確かにする必要があってよい。
【０１７３】
従って、この例では、ＰＴＵ９０２がＷＬＡＮクレデンシャルをＰＲＵ９０１へプッシュする前に、ＰＴＵ９０２は、ランダムな数ミリ秒（例えば、１００から２０００）の間充電を一時中断するようにＰＲＵ９０１に要求する。ＰＲＵ９０１がコンパイルする場合は、これはＰＴＵ９０２によって検出され得、ＰＴＵ９０２へ、ＷＬＡＮクレデンシャルを得る装置が、充電のためにＰＴＵ９０２へ実際に接続されている装置であるとの確認を提供する。
【０１７４】
ＰＴＵ９０２は、ＷＬＡＮクレデンシャルを局所的に（すなわち、無線式送電装置のメモリにおいて）記憶し、且つ／あるいは、それらを他の通信装置、例えば、記憶サービス９１１を提供するプロキシ（例えば、ＢＬＥサービスの“ＷＬＡＮプロキシ記憶サービス”）から受信及び転送する能力を備えてよい。
【０１７５】
例えば、ホテル８００の従業員は、日替わりのクレデンシャルを有する携帯電話機を使用し、ホテルの無線送電局８０５（充電端末とも呼ばれる。）へ歩いていき、携帯電話機と無線送電局８０５とを対にし、クレデンシャルを充電端末８０５において記憶する。この場合において、例えば、ＰＴＵ９０２（充電端末８０５に対応）はＢＬＥサーバとして動作し、それは記憶サービス９１１を公示し、携帯電話機（ＢＬＥクライアントとして動作している。）へ接続し、携帯電話機がクレデンシャルを含む属性を更新することを可能にする。ＢＬＥセキュリティは、予め対にされているか又は認証されている装置（例えば、携帯電話機）のみが記憶サービスの属性を更新することを可能にするためにここで用いられ得る。
【０１７６】
ＰＴＵのクレデンシャル記憶サービスの提供の他の例は、図１０に表されている。
【０１７７】
図１０は、ＰＴＵへのＷＬＡＮクレデンシャルの提供のための通信配置１０００を示す。
【０１７８】
通信配置１０００は、インターネット１００１と、ブルートゥース・ゲートウェイ１００２（すなわち、ブルートゥース対応のゲートウェイ）と、送電ユニット１００３（例えば、ＰＴＵ１０２に対応）とを有する。
【０１７９】
ＰＴＵ１００３は、インターネットへ、例えば、クラウドサービスへ接続されるクレデンシャル記憶サービス（記憶サービス９１１に対応）を提供する。例えば、ＰＴＵ１００３は、ブルートゥース接続１００４を用いて、ブルートゥース・ゲートウェイ１００２へ、そして、インターネット上へ、例えば、ＩＰｖ６を介して接続することができる。ＰＴＵ１００３は更に、ＨＴＴＰ／ＲＥＳＴｆｕｌスタックにより構成され、１又はそれ以上のクラウドサービスを用いてＷＬＡＮクレデンシャルをポピュレートしてよい。
【０１８０】
ＰＴＵ１００３は、ＷＬＡＮクレデンシャルを、例えば、それらをインターネットから呼び出すことによって、インターネット上で取り出し又は受信してよい。代替的に、上述されたように、ＰＴＵ１００３は、ＷＬＡＮクレデンシャルを、例えば、クレデンシャルを局所的にＰＴＵ１００３上に、例えば、ブルートゥースを用いて、プッシュする他の通信装置（例えば、上記の例において見られる携帯電話機）から、局所プロビジョニングステップを介して受信してよい。
【０１８１】
無線電力伝送配置１０００は更に、充電ユニットへの、すなわち、ＰＴＵ１０２へのアクセスを制御する能力、つまり、モバイル装置が充電されるかどうかを制御する能力を備えてよい。例えば、それは、ＰＴＵ１０２への、すなわち、充電サービスへのアクセスを測定することをサポートし、よって、ユーザのＰＲＵ１０１（例えば、顧客８０２のモバイル装置８０２）を認証して、そのユーザに無線充電サービスの勘定を請求する業務上の必要性に対処する。
【０１８２】
このために、ＰＴＵ１０２は、例えば、それが、信頼できる第三者、例えば、信頼できるクラウドに基づくサービスから、電子（デジタル）トークンを受信した後にのみ、無線電力伝送及び／又は充電を可能にする。
【０１８３】
これは図１１に表されている。
【０１８４】
図１１は、一例に従って、無線電力伝送及び／又は充電の認証のためのトークンの利用を説明する通信配置１１００を示す。
【０１８５】
通信配置１１００は、受電ユニット１１０１（例えば、ＰＲＵ１０１に対応）と、送電ユニット１１０２（例えば、ＰＴＵ１０２に対応）と、インターネット１１０４に設置されたウェブサーバによって提供されるウェブサービス１１０３とを有する。
【０１８６】
ＰＴＵ１１０２は、ウェブサービスからの（すなわち、ウェブサービスを提供するウェブサーバからの）応答を確認するために、ウェブサービス、その一意のシリアルナンバー（ＧＵＩＤ）及び証明書チェーンを指し示すＵｎｉｖｅｒｓａｌ  Ｒｅｓｏｕｒｃｅ  Ｉｄｅｎｔｉｆｉｅｒ（ＵＲＩ）を含む。ＰＲＵ１１０１は、例えば、ＰＲＵ１１０１にインストールされたウェブブラウザ１１０６と、例えば、ブラウザ・プラグインを介して、接続するためのアプリケーション（又はバックグラウンドプロセス）１１０５を有する。ブラウザ１１０６は、ＰＲＵ１１０１のユーザとのインタラクション及びウェブサービスとの通信のためのウェブページを表示してよい。ウェブサーバは、ユーザアカウント、ＰＴＵ情報を有し、支払いシステムを実装する。
【０１８７】
以下の例に関し、ＰＴＵ１１０２及びＰＲＵ１１０１は、通信チャネル（例えば、通信チャネル１１３に対応）を確立しており、電力パラメータ、すなわち、充電電力、充電周波数等のような、無線電力伝送及び／又は充電のためのパラメータを設定及び／又は取り決めしているとする。ＰＲＵ１１０１は、例えば、フル充電を完了するのに必要とされる充電時間又は電荷の量を見積もる。ＰＲＵ１１０１はまた、例えば、ＷＬＡＮに基づくインターネットアクセスと、上記の例で記載されたような、ＰＴＵ１１０２から受信されたＷＬＡＮクレデンシャルとを有すると考えられている。
【０１８８】
以下で、トークンを用いた充電認証のためのプロセスフローの例が与えられる。
【０１８９】
１１１１で、ＰＴＵ１１０２は、ＵＲＩ、ＧＵＩＤ及びランダムに生成されたノンスを含むＲｅｑｕｅｓｔＣｈａｒｇｉｎｇＡｕｔｈｏｒｉｚａｔｉｏｎメッセージの形でトークン要求をＰＲＵ１１０１へ送信する。
【０１９０】
１１１２で、ＰＲＵアプリケーション１１０５は、ＰＲＵのウェブブラウザ１１０６を起動するか、又は（ＵＲＩを通じて）直接にウェブサービス１１０３へ接続する。
【０１９１】
１１１３で、ＰＲＵアプリケーション１１０５又はウェブブラウザ１１０６は、場合によって、ＧＵＩＤ、ノンス、並びにＰＲＵのバッテリを完全に充電するための推定される時間及びエネルギを含むＲｅｑｕｅｓｔＣｈａｒｇｉｎｇＡｕｔｈｏｒｉｚａｔｉｏｎをウェブサービス１１０３へ送信する。
【０１９２】
１１１４で、ウェブサービス１１０３は、ユーザ認証を要求する。
【０１９３】
１１１５で、ＰＲＵ１１０１は、ウェブブラウザ１１０６を介して又はアプリケーション１１０５を介してユーザに認証を要求する。ユーザは、（例えば、ウェブブラウザ１１０６を用いて）既存のユーザアカウントにログインし、（例えば、クレジットカードを介して）支払いを行い、ＰＩＮ（例えば、ホテルのチェックイン中にユーザに与えられるコード）を入力し、又は他の請求項目を受け入れる（例えば、費用がユーザの部屋に請求されることを受け入れる）。ユーザはまた、代価を払いたいと望む充電の量を（例えば、完全バッテリ充電に対する割合として）選択する機会を有してよい
１１１６で、ユーザ認証が確認される場合は、ウェブサーバは、この例では、ＰＴＵ１１０２の情報を含む、ＣｈａｒｇｉｎｇＲｅｓｐｏｎｓｅＴｏｋｅｎと表されたトークンを生成し、インテグリティ保護のためにそれに署名し、それをＰＲＵ１１０１へ返す。トークンに含まれる情報には、トークン識別子、ＰＴＵのシリアルナンバー、許可された充電の量、トークン要求において生成されたノンス、シグニチャ、及びシグニチャ照合を可能にする証明書チェーンが含まれる。
【０１９４】
１１１７で、アプリケーション１１０５がウェブブラウザ１１０６を介してウェブサービス１１０３に接触した場合は、ウェブブラウザ１１０６は、トークンをアプリケーション１１０５へ送信する。
【０１９５】
１１１８で、アプリケーション１１０５は、トークンをＰＴＵ１１０２へ送信する。
【０１９６】
１１１９で、ＰＴＵ１１０２は、トークンのシグニチャが有効であり且つ指定されたシグニチャ・チェーンによって署名されているかどうかと、ノンスがトークン要求において送信されたものと一致することとを確認する。
【０１９７】
１１２０で、シグニチャが有効である場合は、ＰＴＵ１１０２は、無線電力伝送及び／又は充電を開始するか、あるいは、トークンにおいて特定されている量（時間又はエネルギ）の間続く。
【０１９８】
ＰＴＵ１１０２は、例えば、局所証明書チェーンを用いてトークンのシグニチャを確認するので、ネットワーク接続を有する必要がない。しかしながら、ネットワーク接続が利用可能である場合は、ＰＴＵ１１０２は、証明書の真偽を確認し又は認証の撤回を検出するために、それを使用してよい。
【０１９９】
ＰＲＵ１１０１が有効なトークンを提供しなかったためにＰＴＵ１１０２がＰＲＵ１１０１を認証することができなった場合は、ＰＴＵ１１０２は、例えば、次の１つ又は組み合わせによって、ＰＲＵ１１０１を拒絶することができる：
１．“Ｅｎａｂｌｅ  ＰＲＵ  Ｏｕｔｐｕｔ”フィールド内のビットを零に設定するといったように、ＰＲＵ制御特性によって、ＰＲＵ１１０１が充電することを可能にしないこと、
２．“Ｅｎａｂｌｅ  ＰＲＵ  Ｃｈａｒｇｅ  Ｉｎｄｉｃａｔｏｒ”ビットフィールド内のビットを零に設定することによって、ＰＲＵ制御特性を通じて、ＰＲＵ１１０１が充電することを可能にしないこと、
３．“Ｐｅｒｍｉｓｓｉｏｎ”フィールド内のビットを、認証上の理由により又は如何なる理由にもよらずに許諾を拒否するようリザーブされる値に設定することによって、ＰＲＵ１１０１が充電することを認めないこと。
【０２００】
ＰＴＵ１１０２はまた、通信チャネル１１３が、充電されようとしている、例えば、充電のために無線式送電装置（例えば、充電マット）に置かれているモバイル装置へ接続されていることが確認された場合にのみ、通信チャネル１１３を介して充電応答トークン１１１８を受け入れると選択してよい。ＰＴＵ１１０２は、上述されたように、ランダムな時間の間ＰＲＵ１１０１が充電を一時中断することを要求することによって、これを行ってよい。
【０２０１】
上述されたように、無線式送電装置は、無線式受電装置が受電のパラメータを適応させるかどうかに基づき、例えば、無線式受電装置が命令に従って受電を中断するかどうかに基づき、無線式送電装置の送電部が電力を伝送する無線式受電装置が、通信チャネルによって無線式送電装置へ接続されている無線式受電装置と同じであることを確認してよい。
【０２０２】
図１２は、無線式受電装置によって実行される対応するフローを説明するフロー図１２００を示す。
【０２０３】
１２０１で、無線式受電装置は、無線により無線式送電装置から電力を受け取る。
【０２０４】
１２０２で、無線式受電装置は、無線式送電装置と無線式受電装置との間の通信チャネルを介して、無線式送電装置からの受電のパラメータを適応させるための指示を受け取る。
【０２０５】
１２０３で、無線式受電装置は、指示に応答して、受電のパラメータを適応させる。
【０２０６】
具体的な態様な記載されてきたが、当業者には当然に、形態及び詳細における様々な変更がそれらの具体的な態様において、添付の特許請求の範囲によって定義される本開示の態様の趣旨及び適用範囲から逸脱することなしに為されてよい。適用範囲は、このように添付の特許請求の範囲によって示され、従って。特許請求の範囲の均等の意味及び範囲内にある全ての変更は、包含されるよう意図される。
【符号の説明】
【０２０７】
１０１，９０１，１１０１            受電ユニット（ＰＲＵ）
１０２，９０２，１００３，１１０２  送電ユニット（ＰＴＵ）
１１３                              通信チャネル
２００，４００，６００              無線式送電装置
２０１，４０１，６０１              送電部
２０２，４０２，６０２              制御部
２０３，４０３                      信号伝達回路
４０４                              認証回路
８００                              商業施設（ホテル）
８０１                              ユーザ（顧客）
８０２                              モバイル装置
８０５                              充電デスク
１００１，１１０４                  インターネット
１１０３                            ウェブサービス
１１０５                            アプリケーション
１１０６                            ウェブブラウザ
【図１】
2015186442.tif 000003
【図２】
2015186442.tif 000004
【図３】
2015186442.tif 000005
【図４】
2015186442.tif 000006
【図５】
2015186442.tif 000007
【図６】
2015186442.tif 000008
【図７】
2015186442.tif 000009
【図８】
2015186442.tif 000010
【図９】
2015186442.tif 000011
【図１０】
2015186442.tif 000012
【図１１】
2015186442.tif 000013
【図１２】
2015186442.tif 000014
【外国語明細書】
2015186442000001.pdf
2015186442000002.pdf
2015186442000003.pdf
2015186442000004.pdf